(57)【要約】【課題】全体を通してストーリーの展開に変化を持たせることができる冊子を提供すること。【解決手段】表紙と本文とからなり、本文は、小口の天側コーナーに切欠ｘのある複数の上部切欠紙片Ｓｕと、小口の地側コーナーに切欠ｙのある複数の下部切欠紙片Ｓｄと、小口の天側コーナーと地側コーナーのいずれにも切欠を設けていない複数の通常紙片Ｓとを有しており、通常紙片Ｓと上部切欠紙片Ｓｕの絵柄と、通常紙片Ｓと下部切欠紙片Ｓｄの絵柄が、別のストーリー展開を構成するように組み合わされている。小口の天側あるいは地側に指先を当てがってめくることにより、切欠のある紙片を飛ばして見ることになるので、ストーリーが途中から二通りに展開したり一つに戻ったりといった変化を持たせることができる。【選択図】図１
2016010854.tif 000002
【特許請求の範囲】
【請求項１】
表紙と本文とからなり、本文は、小口の天側コーナーに切欠のある複数の上部切欠紙片と、小口の地側コーナーに切欠のある複数の下部切欠紙片と、小口の天側コーナーと地側コーナーのいずれにも切欠を設けていない複数の通常紙片とを有しており、通常紙片と上部切欠紙片の絵柄と、通常紙片と下部切欠紙片の絵柄が、別のストーリー展開を構成するように組み合わされていることを特徴とする冊子。
【請求項２】
４ページ分の刷本を二つ折りした折丁と、４ページ分の刷本における相対する小口の天側コーナーと地側コーナーを断裁して二つ折りした折丁とを組み合わせて無線綴じで製本することを特徴とする冊子の製造方法。
【請求項３】
４ページ分の刷本における一方の小口の天側コーナーを断裁して二つ折りした折丁と、４ページ分の刷本における小口の一方の地側コーナーを断裁して二つ折りした折丁と、４ページ分の刷本における対向する小口の天側コーナーと地側コーナーを断裁して二つ折りした折丁とを組み合わせて中綴じで製本することを特徴とする冊子の製造方法。
【発明の詳細な説明】
【技術分野】
【０００１】
本発明は、印刷された紙片を綴じ合わせてなる冊子（本、雑誌、パンフレット等）の技術分野に属し、詳しくは、パラパラとめくることにより、内容に連続した繋がりのあるページが開かれるようにした冊子に関するものである。
【背景技術】
【０００２】
この種の冊子は、重ねられた紙片を使って作られるアニメーションの一種であり、残像によりあたかも連続して絵が動いているように見えるもので、ノートや書籍の端などに落書きないし遊びとして個人が制作するものから、印刷物として提供されるものまで様々なものが存在する。簡単なものでは点や線が移動する程度のものから、凝ったものではある程度のイラストを使ったものや、各紙片の端縁に切欠部を設けてめくりに工夫を施したものまで様々である。
【０００３】
例えば、特許文献１に記載の冊子は、所謂パラパラマンガと呼ばれるもので、１ページごとに少しずつ違う絵（文字等）が描かれており、指先をページの端にあてがって少しずつめくっていくと、残像作用によりあたかも絵（文字等）が動いているかのように見えるというものである。
【０００４】
また、特許文献２に記載の冊子は、多作品収集絵本なるもので、紙片の小口側を側縁が一部残るように切り欠いて切欠部を形成し、その切欠部を段階的に形成した紙片を順次組み合わせたものを一組とし、それを数組併せるとともに各組の同一紙片毎に関連性の有する絵を記してあり、１ページ毎順番どおりに紙片をめくることからもたらされる静的な視覚的変化だけでなく、一定ページ毎とばしてめくることにより動的な視覚的変化をも楽しむことができるというものである。
【先行技術文献】
【特許文献】
【０００５】
【特許文献１】実開平５−８２４９９号公報
【特許文献２】特開平８−１３１６６５号公報
【発明の概要】
【発明が解決しようとする課題】
【０００６】
上記した特許文献１に記載の冊子は、パラパラマンガとして一般的に良く知られているものであるが、一つの冊子に対して一つの物語しか描けないという問題がある。また、特許文献２に記載の冊子は、各紙片における小口に側縁残有部を形成してあり、対象ページをめくり飛ばすことができるので、設けた側縁残有部の数だけ作品を多数収集できるというものではあるが、全体を通してストーリーに途中の変化をもたらすような使い方はできない。
【０００７】
本発明は、このような背景に鑑みてなされたものであり、その目的とするところは、全体を通してストーリーの展開に変化を持たせることができる冊子を提供し、併せてその製造方法を提供することにある。
【課題を解決するための手段】
【０００８】
上記の目的を達成するため、本発明の冊子は、表紙と本文とからなり、本文は、小口の天側コーナーに切欠のある複数の上部切欠紙片と、小口の地側コーナーに切欠のある複数の下部切欠紙片と、小口の天側コーナーと地側コーナーのいずれにも切欠を設けていない複数の通常紙片とを有しており、通常紙片と上部切欠紙片の絵柄と、通常紙片と下部切欠紙片の絵柄が、別のストーリー展開を構成するように組み合わされていることを特徴とする。
【０００９】
そして、本発明の冊子の製造方法は、４ページ分の刷本を二つ折りした折丁と、４ペー分の刷本における相対する小口の天側コーナーと地側コーナーを断裁して二つ折りした折丁とを組み合わせて無線綴じで製本することを特徴とする。
【００１０】
また、本発明の冊子の製造方法は、４ページ分の刷本における一方の小口の天側コーナーを断裁して二つ折りした折丁と、４ページ分の刷本における小口の一方の地側コーナーを断裁して二つ折りした折丁と、４ページ分の刷本における対向する小口の天側コーナーと地側コーナーを断裁して二つ折りした折丁とを組み合わせて中綴じで製本することを特徴とする。
【発明の効果】
【００１１】
本発明の冊子は、小口の天側あるいは地側に指先を当てがってめくることにより、切欠のある紙片を飛ばして見ることになるので、ストーリーが途中から二通りに展開したり一つに戻ったりといった変化を持たせることができる。
【図面の簡単な説明】
【００１２】
【図１】本発明に係る冊子の一例を各ページを離間した状態で示す説明図である。
【図２】図１の冊子を無線綴じで製造した場合の綴じ状態を示す説明図である。
【図３】無線綴じで使用する刷本とその折丁を示す説明図である。
【図４】無線綴じで使用する別の刷本とその折丁を示す説明図である。
【図５】図１の冊子を中綴じで製造した場合の綴じ状態を示す説明図である。
【図６】中綴じで使用する刷本と折丁を示す説明図である。
【図７】中綴じで使用する別の刷本とその折丁を示す説明図である。
【図８】中綴じで使用するさらに別の刷本とその折丁を示す説明図である。
【発明を実施するための形態】
【００１３】
次に、本発明の実施形態について図面を参照しながら詳細に説明する。
【００１４】
図１は本発明の一例としての冊子を説明の都合から簡略化して表示してあり、ページ数を少なくするとともに、各ページを離間状態で示している。
【００１５】
図１の冊子は表紙Ｅと本文からなり、各部分の名称は、Ａが天、Ｂが地、Ｃが背、Ｄが小口である。本文は、小口の天側コーナーに切欠ｘのある複数の上部切欠紙片Ｓｕと、小口の地側コーナーに切欠ｙのある複数の下部切欠紙片Ｓｄと、小口の天側コーナーと地側コーナーのいずれにも切欠を設けていない複数の通常紙片Ｓとを有している。この冊子では、前半に複数の通常紙片Ｓが一まとまりに配置され、後半には下部切欠紙片Ｓｄと上部切欠紙片Ｓｕとが交互に配置されている。
【００１６】
この冊子を読むときには、小口Ｄの天側あるいは地側に指先を当てがってめくるようにする。例えば、小口Ｄの地側に指先を当てがってめくると、前半は通常紙片Ｓの絵柄を順に見ることになり、後半は地側コーナーに切欠ｙのある下部切欠紙片Ｓｄが飛ばされて、上部切欠紙片Ｓｕの絵柄だけを順に見ることになる。また、小口Ｄの天側に指先を当てがってめくると、前半は通常紙片Ｓの絵柄を順に見ることになり、後半は天側コーナーに切欠ｘのある上部切欠紙片Ｓｕが飛ばされて、下部切欠紙片Ｓｄの絵柄だけを順に見ることになる。したがって、小口Ｄにおいてめくる場所を変えることで、ストーリーを途中から二通りに展開できる。
【００１７】
図１に示した冊子では、ストーリーを途中から二通りに展開できるように、通常紙片Ｓと上部切欠紙片Ｓｕと下部切欠紙片Ｓｄを組み合わせているが、本発明の冊子は、これらの通常紙片Ｓと上部切欠紙片Ｓｕと下部切欠紙片Ｓｄとを所望のストーリー展開を構成するように組み合わせることにより、二通りに展開したストーリーを一つに戻したり、二通りに展開するのと一つに戻るのを繰り返したりと、多様なストーリー展開ができる。
【００１８】
次に、本発明に係る冊子の製造方法を説明するが、ここでは、製本形態のうちで本発明の冊子にとって実用的な無線綴じと中綴じについて説明する。
【００１９】
（無線綴じ）
無線綴じは、刷本における背の部分を２〜３ｍｍ切断し、切断面をひっかいて足がかりをつけ、そこにホットメルトなどの接着剤を塗布して表紙を貼る手順で製本されるもので、この無線綴じで製本した冊子の綴じ状態を図１の冊子に対応して示すと図２のようになる。
【００２０】
図２における折丁３，４，５に対応する刷本については、用紙に印刷を施して４ページ分の刷本を作成した後、図３（ａ）に示すように、小口に対応する一方の辺の天側コーナーと他方の辺の地側コーナーをそれぞれカット線ａ，ｂのところで図示の如く三角状に断裁する。そして、図３（ｂ）に示すように、断裁済みの刷本を二つ折りして、小口の天側コーナーと地側コーナーが交互に断裁された二つ折りの折丁とする。
【００２１】
図２における折丁１，２に対応する刷本については、用紙に印刷を施して４ページ分の刷本を作成した後、この刷本を断裁せずに、図４（ａ）に示す状態から図４（ｂ）に示す如く二つ折りの折丁とする。
【００２２】
そして、このような折丁１〜５の形態とした複数の刷本をこの順に重なるように丁合し、丁合した刷本における背の部分を２〜３ｍｍ切断し、切断面をひっかいて足がかりをつけ、そこに接着剤を塗布して表紙Ｅでくるみ、周囲を仕上げ断裁することで製本を完了する。図３及び図４において、周囲の一点鎖線で示すところが仕上がり線ｃとなる。
【００２３】
なお、ここでは図１に示す冊子を製造する場合を説明するため、４ページ分の刷本を二つ折りした折丁１，２と、４ページ分の刷本における相対する小口の天側コーナーと地側コーナーを断裁して二つ折りした折丁３，４，５とを組み合わせて製本したが、別形態の冊子では、４ページ分の刷本における一方の小口の天側コーナーを断裁して二つ折りした折丁や、４ページ分の刷本における小口の一方の地側コーナーを断裁して二つ折りした折丁を組み合わせることもある。
【００２４】
（中綴じ）
中綴じは、本文となる刷本と表紙を同時に丁合する自動フィーダーと、順次丁合された刷本を表紙とともに針金綴じし、三方断裁して仕上げるという全機能を連動させた中綴じ機を使用して製本されるもので、中綴じ機で製本した冊子の綴じ状態を図１の冊子に対応して示すと図５のようになる。
【００２５】
図５における折丁１，３に対応する刷本については、用紙に印刷を施して４ページ分の刷本とした後、図６（ａ）に示すように、小口に対応する一方の辺の天側をカット線ａのところで三角状に断裁する。そして、図６（ｂ）に示すように、断裁済みの刷本をラップＲが取れるように二つ折りして、通常紙片Ｓと上部切欠紙片Ｓｕが組み合わさった二つ折りの折丁とする。
【００２６】
図５における折丁２，４に対応する刷本については、用紙に印刷を施して４ページ分の刷本とした後、図７（ａ）に示すように、小口に対応する一方の辺の地側をカット線ｂのところで三角状に断裁する。そして、図７（ｂ）に示すように、断裁済みの刷本をラップＲが取れるように二つ折りして、通常紙片Ｓと下部切欠紙片Ｓｄが組み合わさった二つ折りの折丁とする。
【００２７】
図５における折丁５に対応する刷本については、用紙に印刷を施して４ページ分の刷本とした後、図８（ａ）に示すように、小口に対応する一方の辺の天側と他方の辺の地側をそれぞれカット線ａ，ｂのところで図示の如く三角状に断裁する。そして、図３（ｂ）に示すように、断裁済みの刷本をラップＲが取れるように二つ折りして、小口の天側と地側が交互に断裁された二つ折りの折丁とする。
【００２８】
そして、このような折丁１〜５の形態とした刷本を中綴じ機にかけて製本する。すなわち、まず自動フィーダーにより折丁５から折丁１までをこの順で鞍がけして丁合し、その上から表紙Ｅを丁合した後、針金綴じしてから仕上げ断裁することで製本を完了する。図６〜図８において、周囲の一点鎖線で示すところが仕上がり線ｃとなる。
【００２９】
なお、ここでは図１に示す冊子を製造する場合を説明するため、４ページ分の刷本における一方の小口の天側コーナーを断裁して二つ折りした折丁１，３と、４ページ分の刷本における小口の一方の地側コーナーを断裁して二つ折りした折丁２，４と、４ページ分の刷本における相対する小口の天側コーナーと地側コーナーを断裁して二つ折りした折丁５とを組み合わせて製本したが、別形態の冊子では、４ページ分の刷本を二つ折りした折丁を組み合わせることもある。
【００３０】
以上、一つの冊子を例に挙げて本発明の実施の形態を詳細に説明してきたが、本発明による冊子は、上記実施の形態に何ら限定されるものではなく、本発明の趣旨を逸脱しない範囲において種々の変更が可能であることは当然のことである。
【００３１】
例えば、上記の例では本文が１０枚の冊子で説明したが、本発明の冊子は、本文の枚数に特に限定はなく、冊子の用途に応じて必要なページ数とすればよい。そして、ページ数が増加した冊子であっても、通常紙片と上部切欠紙片と下部切欠紙片をどのように組み合わせた冊子であっても、上記で説明した無線綴じあるいは中綴じの製造方法に準じて所望の冊子を製造することができる。
【符号の説明】
【００３２】
Ａ  天
Ｂ  地
Ｃ  背
Ｄ  小口
Ｅ  表紙
Ｓ  通常紙片
Ｓｕ  上部切欠紙片
Ｓｄ  下部切欠紙片
ａ，ｂ  カット線
ｃ  仕上がり線
ｘ，ｙ  切欠
１〜５  折丁
【図１】
2016010854.tif 000003
【図２】
2016010854.tif 000004
【図３】
2016010854.tif 000005
【図４】
2016010854.tif 000006
【図５】
2016010854.tif 000007
【図６】
2016010854.tif 000008
【図７】
2016010854.tif 000009
【図８】
2016010854.tif 000010